(57)【要約】【課題】受信データのビット幅の許容範囲値を設置後に動作電源や動作状態に応じて変更することができないという課題を有していた。【解決手段】スレーブ制御手段（受信装置側制御手段）１４が、スレーブ無線通信手段（受信装置側無線通信手段）７を用いて、ビット幅の許容範囲値を含む無線電文を受信し、前記受信したビット幅の許容範囲値を前記スレーブビット幅記憶手段１０に記憶し、以降は受信した無線電文中のビット同期部のビット幅がスレーブビット幅記憶手段１０に記憶された許容範囲値以内の場合にサンプリングクロックを生成するとすることにより、マスター無線通信装置２５から無線電文を用いて、スレーブ通信装置２６の設置後に動作電源や動作状態に応じてビット幅の許容範囲値を変更することができる。【選択図】図１
2006262250.tif 000002
【特許請求の範囲】
【請求項１】
送信装置と通信して、無線電文中のビット同期部を構成するビット幅を測定することによりサンプリングクロックを生成し、前記生成したサンプリングクロックに基づいて、ビット同期部に続くフレーム同期部およびデータ部を受信する受信装置において、
無線電文を送受信する受信装置側無線通信手段と、ビット同期部を構成するビット幅を測定するビット幅測定手段と、前記ビット幅測定手段で測定したビット幅が規定の許容範囲値以内であるかを判定するビット幅判定手段と、前記ビット幅の許容範囲値を記憶するビット幅記憶手段と、前記各手段を制御する受信装置側制御手段とを備え、
前記受信装置側制御手段は、前記受信装置側無線通信手段を用いて、前記ビット幅の許容範囲値を含む無線電文を受信し、前記受信したビット幅の許容範囲値を前記ビット幅記憶手段に記憶し、以降は受信した無線電文中のビット同期部のビット幅が前記ビット幅記憶手段に記憶された許容範囲値以内の場合にサンプリングクロックを生成して受信を行う受信装置。
【請求項２】
受信装置は、電池電圧の低下を検出する電池電圧低下検出手段を備え、前記電池電圧低下検出手段で電池電圧低下が検出された場合、前記送信装置に対して、前記ビット幅記憶手段に記憶されたビット幅の許容範囲値を小さくすることを要求する無線電文を送信するとした請求項１に記載の受信装置。
【請求項３】
受信装置と通信する送信装置において、前記送信装置における送信装置側制御手段は、前記受信装置がＡＣ電源動作か電池電源動作かの動作電源種別を取得し、ビット幅割り当て手段を用いて、ＡＣ電源動作の受信装置に対しては、電池電源動作の受信装置に割り当てる許容範囲値よりも大きな許容範囲値を割り当てるとした送信装置。
【請求項４】
送信装置が受信装置に対して無線電文を送信する際には、送信する無線電文のビット同期部を構成するビット幅αを、（電池電源動作の受信装置に割り当てたビット幅の許容範囲値）＜α≦（ＡＣ電源動作の受信装置に割り当てたビット幅の許容範囲値）となる関係にビット幅αを設定して無線電文を送信するとした請求項３に記載の送信装置。
【請求項５】
請求項１または２に記載の受信装置の手段の少なくとも一部をコンピュータに実行させるためのプログラム。
【請求項６】
請求項３または４に記載の送信装置の手段の少なくとも一部をコンピュータに実行させるためのプログラム。
【発明の詳細な説明】
【技術分野】
【０００１】
本発明は、データ伝送におけるビット同期部を受信し、サンプリングクロックを生成する受信装置または送信装置およびそのプログラムに関するものである。
【背景技術】
【０００２】
従来、この種の受信装置または送信装置およびプログラムは、以下に記載されているようなものがあった（例えば、特許文献１参照）。
【０００３】
図５は、特許文献１に記載された従来の通信装置およびプログラムを示すものである。図５に示すように、アンテナ１と、前記アンテナ１で受信した無線電文から受信データを復調するＦＭ受信回路２と、前記ＦＭ受信回路２で復調された受信データを記憶するシフトレジスタ３と、フレーム同期部のフレームパターンを記憶するＲＯＭ４と、前記各手段を制御する制御回路５から構成されている。
【０００４】
制御回路５は、アンテナ１およびＦＭ受信回路２を介して受信した受信データのビット幅を測定し、測定したビット幅が規定の許容範囲値以内であれば受信データを取り込み、無線電文におけるヘッダー部のビット同期部の有無を検出する。そして、ビット同期部を検出すれば受信データを取り込むためのサンプリングクロックを生成する。そして、このサンプリングクロックに基づいて受信データをシフトレジスタ３に記憶する。
【０００５】
また、測定したビット幅が規定の許容範囲値以外であれば受信動作を停止する。一方、ＲＯＭ４には、あらかじめ決められたフレーム同期部のフレームパターンが記憶されており、制御回路５は、前記ＲＯＭ４に記憶されたフレームパターンとシフトレジスタ３に記憶された受信データとを１ビット受信毎に比較し、ＲＯＭ４に記憶されたフレーム同期部のフレームパターンが一致するまで受信動作を継続する。
【特許文献１】特開平８−１３０５３３号公報
【発明の開示】
【発明が解決しようとする課題】
【０００６】
しかしながら、前記従来の構成では、制御回路は、受信データのビット幅があらかじめ決められた許容範囲値以内の時のみ受信データを取り込むとなっているため、設置後に動作電源や動作状態に応じて許容範囲値を変更することができないという課題を有していた。
【０００７】
本発明は、前記従来の課題を解決するもので、無線電文を用いて、設置後に動作電源や動作状態に応じてビット幅の許容範囲値を変更することができる受信装置または送信装置およびそのプログラムを提供することを目的とする。
【課題を解決するための手段】
【０００８】
前記従来の課題を解決するために、本発明の受信装置は、無線電文を送受信する受信装置側無線通信手段と、ビット同期部を構成するビット幅を測定するビット幅測定手段と、前記ビット幅測定手段で測定したビット幅が規定の許容範囲値以内であるかを判定するビット幅判定手段と、前記ビット幅の許容範囲値を記憶するビット幅記憶手段と、各手段を制御する受信装置側制御手段とを備えるとしたものである。
【０００９】
これによって、無線電文を用いて、設置後に動作電源や動作状態に応じてビット幅の許容範囲値を変更することができる。
【発明の効果】
【００１０】
本発明の受信装置は、受信装置側制御手段が受信装置側無線通信手段でビット幅の許容範囲値を含む無線電文を受信し、前記受信したビット幅の許容範囲値を新たにビット幅記憶手段に記憶し、以降は受信した無線電文におけるビット同期部のビット幅がビット幅記憶手段に記憶された許容範囲値以内の場合にサンプリングクロックを生成するとすることにより、設置後に動作状態に応じてビット幅の許容範囲値を変更することができる。
【発明を実施するための最良の形態】
【００１１】
第１の発明は、受信装置は、受信装置側制御手段が受信装置側無線通信手段でビット幅の許容範囲値を含む無線電文を受信し、前記受信したビット幅の許容範囲値を新たにビット幅記憶手段に記憶し、以降は受信した無線電文におけるビット同期部のビット幅がビット幅記憶手段に記憶された許容範囲値以内の場合にサンプリングクロックを生成するため、設置後に動作状態に応じてビット幅を任意の許容範囲値に設定することができる。
【００１２】
第２の発明は、受信装置は、電池電圧の低下を検出する電池電圧低下検出手段を備え、送信装置に対して、ビット幅記憶手段に記憶されたビット幅の許容範囲値を小さくすることを要求する無線電文を送信することができるため、ノイズなどにより誤ってビット同期部を受信することを少なくすることができ、消費電力を低減することができ、動作時間の延長を図ることができる。
【００１３】
第３の発明は、受信装置と通信する送信装置において、送信装置における送信装置側制御手段は、前記受信装置がＡＣ電源動作か電池電源動作かの動作電源種別を取得することにより、ビット幅割り当て手段を用いて、電池電源動作の受信装置に割り当てるビット幅の許容範囲値α１と、ＡＣ電源動作の受信装置に割り当てるビット幅の許容範囲値α２との関係をα１＜α２となるようなビット幅の許容範囲値を受信装置に対して割り当てることができるため、ＡＣ電源動作の受信装置と比較して、電池電源動作の受信装置がノイズなどにより誤ってビット同期部を受信することを少なくすることができ、消費電力を低減することができ、動作時間の延長を図ることができる。
【００１４】
また、ＡＣ動作電源動作の受信装置は、消費電力をあまり考慮しなくていいため、電池電源動作の受信装置と比較して、ビット同期部のビット幅の許容範囲値をより大きく設定することができるため、受信すべき無線電文のビット幅がノイズなどにより変化しても受信できるようにすることができる。このように、動作電源の種別により最適な許容範囲値を設定することができる。
【００１５】
第４の発明は、特に、第３の発明において、送信装置は、ＡＣ電源動作である受信装置に無線電文を送信する際には、ビット同期部を構成するビット幅αを、α１＜α≦α２となるように設定して無線電文を送信することにより、電池電源動作である受信装置は、ＡＣ電源動作である受信装置宛の無線電文からビット同期部を検出し、サンプリングクロックを生成することがないため、ＡＣ電源動作である受信装置宛の無線電文を受信しなくてもすむため、消費電力を低減することができ、動作時間の延長を図ることができる。
【００１６】
第５の発明は、第１または第２の発明における受信装置の手段の少なくとも一部をコンピュータに実現させるためのプログラムとすることにより、簡単なハードウェアで受信装置の機能が実現できる。
【００１７】
第６の発明は、第３または第４の発明における送信装置の手段の少なくとも一部をコンピュータに実現させるためのプログラムとすることにより、簡単なハードウェアで送信装置の機能が実現できる。
【００１８】
そして、プログラムであるので、電気・情報機器、コンピュータ、サーバー等のハードリソースを協働させて本発明の送信装置、受信装置の少なくとも一部を容易に実現することができる。また記録媒体に記録したり通信回線を用いてプログラムを配信したりすることでプログラムの配布・更新やそのインストール作業が簡単にできる。
【００１９】
以下、本発明の実施の形態について、図面を参照しながら説明する。なお、この実施の形態によって本発明が限定されるものではない。
【００２０】
本実施の形態において、送信装置の一例としてマスター通信装置を、受信装置の一例としてスレーブ通信装置で説明するが、これに限るものではない。
【００２１】
（実施の形態１）
図１は、本発明の第１の実施の形態におけるスレーブ通信装置のブロック図を示し、図２はマスター通信装置のブロック図を示すものである。
【００２２】
図１において、スレーブ通信装置１０１は、無線電文を送受信するスレーブアンテナ６と、受信した無線電文から受信データを復調するスレーブ無線通信手段７と、スレーブ無線通信手段７で受信した受信データからビット同期部を検出するために、受信データのビット幅を測定するスレーブビット幅測定手段８と、スレーブビット幅測定手段８で測定したビット幅が許容範囲値以内であるかを判定するスレーブビット幅判定手段９と、前記ビット幅の許容範囲値を記憶するスレーブビット幅記憶手段１０と、スレーブビット幅測定手段８でビット同期部を検出後、受信データを取り込むためのサンプリングクロックを生成するスレーブサンプリングクロック生成手段１１と、スレーブ無線通信手段７から出力される受信データをスレーブサンプリングクロック生成手段１１で生成されるサンプリングクロックに基づき記憶するスレーブ受信データ記憶手段１２と、電源が電池動作の場合に電池電圧の低下を検出するスレーブ電池電圧低下検出手段１３と、各手段を制御するスレーブ制御手段１４とで構成されている。
【００２３】
図２において、マスター通信装置１０２は、無線電文を送受信するマスターアンテナ１５と、受信した無線電文から受信データを復調するマスター無線通信手段１６と、マスター無線通信手段１６で受信した受信データからビット同期部を検出するために、受信データのビット幅を測定するマスタービット幅測定手段１７と、マスタービット幅測定手段１７で測定したビット幅が許容範囲値以内であるかを判定するマスタービット幅判定手段１８と、前記ビット幅の許容範囲値を記憶するマスタービット幅記憶手段１９と、マスタービット幅測定手段１７でビット同期部を検出後、受信データを受信するためのサンプリングクロックを生成するマスターサンプリングクロック生成手段２０と、マスター無線通信手段１６から出力される受信データをマスターサンプリングクロック生成手段２０で生成されるサンプリングクロックに基づき記憶するマスター受信データ記憶手段２１と、ビット幅の許容範囲値をスレーブ通信装置に割り当てるマスタービット幅割り当て手段２２と、各手段を制御するマスター制御手段２３とで構成されている。
【００２４】
図３は本実施の形態におけるスレーブ通信装置およびマスター通信装置を用いた無線通信システム例を示すものである。図３におけるスレーブ通信装置２６あるいはマスター通信装置２５が図１におけるスレーブ通信装置、図２におけるマスター通信装置に相当する。
【００２５】
図３において、通信処理部２４とマスター通信装置２５で構成されるブロックがホームコントローラ１０３、そして、スレーブ通信装置２６とエアコン２７で構成されるブロックがホームコントローラ１０３から制御されるネットワーク対応家電機器１０４である。
【００２６】
ホームコントローラは、図３には示していないが、タッチパネルを備え、前記タッチパネル上のボタンを押すことによりエアコン２６の制御を行うことができる。ホームコントローラ１０３を構成するマスター通信装置２５とエアコン２７に接続されるスレーブ通信装置２６は、伝送速度２４００ｂｐｓもしくは４８００ｂｐｓ、周波数４２９ＭＨｚ帯の特定小電力無線電波を用いたプロトコルで接続される。
【００２７】
なお、４２９ＭＨｚ帯の特定小電力無線電波を用いたプロトコルとしては、ガスの自動検針用プロトコルやエコーネット（登録商標）プロトコル等の規格化されたものが考えられる。
【００２８】
ここで、図３におけるスレーブ通信装置２５とマスター通信装置２４との間で送受信される電文構成について図４を参照しながら説明する。
【００２９】
図４において（１）はデータフォーマット全体構成を示す。図４の（１）において区間（ａ）は繰り返しヘッダー部と呼ばれ、受信チャンネルとして複数チャンネルを順次スキャンして待ち受ける受信方式に対応するため（ビット同期部１；４１ビット＋フレーム同期部１；３１ビット＋データ部１；６４ビット）を一つのブロックとして、このブロックをＮ回繰り返し送信する繰り返しヘッダー部である。
【００３０】
そして、区間（ｂ）はデータを含む情報部であり、（ビット同期部２；６５ビット＋フレーム同期部２；３１ビット＋データ部２：可変）で構成され、ビット同期部２はビット同期部１のビットの反転、フレーム同期部２はフレーム同期部１のビットの反転となっている。区間（ｃ）は送信の最後を示す信号であるがなくてもかまわない。
【００３１】
データ１の詳細な構成を、図４の（２）に示す。また、データ２の詳細な構成を、図４の（３）に示す。
【００３２】
データ１には相手先情報、すなわち宛先を示す受信機器識別符号と、自分の属するシステムかどうかを識別する無線システム識別符号の一部である部分無線システム識別符号が含まれている。部分無線システム識別符号は無線システム識別符号を３分割したものであり、例えば無線システム識別符号が１２桁であれば、上位４桁、中位４桁、下位４桁と３分割され順番に挿入されている。
【００３３】
データ２には無線システム識別符号と送信元を示す送信機器識別符号が含まれている。例えば、無線電文を送信する際は、相手無線通信装置の間欠受信周期以上の長さになるように、ヘッダー部の繰り返し送信回数Ｎ回を設定し無線電文を送信する。また、データ１およびデータ２は、誤り制御としてＢＣＨ（３１，１６）を用い、１６ビット単位の伝送信号に対して１５ビットのＢＣＨ誤り制御符号と１ビットの偶数パリティ符号を付加する。すなわち符号化後の符号長は３２ビットとなる。
【００３４】
以上のように構成されたスレーブ通信装置２６およびマスター通信装置２５について、以下その動作、作用を説明する。
【００３５】
まずスレーブ通信装置２６が、マスター通信装置２５から送信される図４に示す無線電文を受信する場合について説明する。
【００３６】
スレーブ通信装置２６におけるスレーブ制御手段１４は、スレーブ無線通信手段７を用いて、スレーブアンテナ６を介して受信動作を行い、キャリア（無線電文）の有無を検出する。キャリアがあれば、継続して受信動作を行う。
【００３７】
次に、スレーブ制御手段１４は、スレーブビット幅測定手段８を用いて、無線電文のビット同期１のビット幅を測定し、スレーブビット幅判定手段９を用いて、測定結果がスレーブビット幅記憶手段１０に記憶された許容範囲値以内であるかを判定する。例えば、スレーブビット幅記憶手段１０に許容範囲値として±５０％という値が記憶されていると、マスター通信装置２５とスレーブ通信装置間で２４００ｂｐｓの伝送速度で通信を行う場合は、ビット同期１のビット幅は、１／２４００≒４１７マイクロｓｅｃ（理論値）であるため、４１７マイクロｓｅｃ±５０％＝２０９マイクロｓｅｃ〜６２６マイクロｓｅｃが受信する許容範囲値となる。
【００３８】
記憶された許容範囲値以内であれば、スレーブ制御手段１４は受信動作を継続し、以降同様に、例えばビット同期１を１６ビット取り込み、１６ビットすべてが記憶された許容範囲値以内であれば、ビット同期１に続くフレーム同期１を受信するために、スレーブサンプリングクロック生成手段１１を用いてサンプリングクロックを生成し、この生成したサンプリングクロックがスレーブ受信データ記憶手段１２に供給される。
【００３９】
スレーブ受信データ記憶手段１２は、供給されたサンプリングクロックに同期してスレーブ無線通信手段７から無線電文を受信する。そして、スレーブ制御手段１４は、スレーブ受信データ記憶手段１２からビット同期１に続くフレーム同期１やデータ１を受信する。
【００４０】
次に、スレーブ通信装置２６の動作電源が電池であり、電池電圧の低下を検出するスレーブ電池電圧検出手段１３を備え、スレーブ電池電圧検出手段１３が電池電圧低下を検出した場合の動作について説明する。
【００４１】
スレーブ通信装置２６におけるスレーブ制御手段１４は、スレーブ電池電圧検出手段１３から電池電圧低下検出信号を受信すると、スレーブ無線通信手段７およびスレーブアンテナ６を用いて、電池電圧低下検出信号をマスター通信装置２５に報知する。また、この時、スレーブビット幅記憶手段１０に記憶された許容範囲値を小さくする要求電文をマスター通信装置２５に対して送信する。
【００４２】
マスター通信装置２５におけるマスター制御手段２３は、先に述べたスレーブ通信装置２６における受信動作と同様に、マスター無線通信手段１６を用いて、マスターアンテナ１５を介して受信動作を行い、キャリア（無線電波）の有無を検出する。キャリアがあれば、継続して受信動作を行う。
【００４３】
次に、マスター制御手段２３は、マスタービット幅測定手段１７を用いて、無線電文のビット同期１のビット幅を測定し、マスタービット幅判定手段１８を用いて、測定結果がマスタービット幅記憶手段１９に記憶された許容範囲値以内であるかを判定し、許容範囲値以内であれば、マスター制御手段２３は受信動作を継続し、以降同様に、例えばビット同期１を１６ビット取り込み、１６ビットすべてが記憶された許容範囲値以内であれば、ビット同期１に続くフレーム同期１を受信するために、マスターサンプリングクロック生成手段２０を用いてサンプリングクロックを生成し、この生成したサンプリングクロックがマスター受信データ記憶手段２１に供給される。
【００４４】
マスター受信データ記憶手段２１は、供給されたサンプリングクロックに同期してマスター無線通信手段１６から無線電文を受信する。そして、マスター制御手段２３は、マスター受信データ記憶手段２１からビット同期１に続くフレーム同期１やデータ１の受信を行い、伝送データブロックに含まれる先の要求電文を受信する。
【００４５】
マスター制御手段２３は、この要求電文を受信すると、マスタービット幅割り当て手段２２から新たに割り当てる許容範囲値を取得し（マスタービット幅割り当て手段２２には、各スレーブ通信装置２６に割り当てた許容範囲値が記憶されているため、この許容範囲値より小さい許容範囲値を割り当てる）、この許容範囲値を含んだ無線電文をマスター無線通信手段１６およびマスターアンテナ１５を用いて、スレーブ通信装置２６に対して送信する。
【００４６】
一方、この無線電文を受信したスレーブ通信装置２６におけるスレーブ制御手段１４は、スレーブビット幅記憶手段１０の許容範囲値をこの受信した無線電文に含まれる許容範囲値に書き換える。以降の通信ではこの新たに書き換えた許容範囲値を用いて受信動作を行う。
【００４７】
以上のように、本実施の形態においては、スレーブ制御手段１４がスレーブ無線通信手段７でビット幅の許容範囲値を含む無線電文を受信し、前記受信したビット幅の許容範囲値を新たにスレーブビット幅記憶手段１０に記憶し、以降は受信した無線電文におけるビット同期部のビット幅がスレーブビット幅記憶手段１０に記憶された許容範囲値以内の場合にサンプリングクロックを生成することにより、設置後に動作状態に応じてビット幅の許容範囲値を変更でき、最適な許容範囲値を設定することができ、誤ってビット同期部を受信したために、本来受信すべきビット同期部を受信できなくなるということがなくなり通信の信頼性が向上する。
【００４８】
また、マスター通信装置２５に対して、スレーブビット幅記憶手段１０に記憶されたビット幅の許容範囲値を小さくすることを要求する無線電文を送信することにより、ノイズなどにより誤ってビット同期部を受信することを少なくすることができるため、消費電力を低減することができ、動作時間の延長を図ることができる。
【００４９】
さらに、スレーブ通信装置２６が複数設置された場合でも、マスター通信装置２５が各スレーブ通信装置２６のビット幅の許容範囲値を記憶しているため、各スレーブ通信装置２６が誤ってビット同期１を受信した履歴を収集し、誤ってビット同期１を受信した回数が大きいスレーブ通信装置２６に対しては、許容範囲値を小さくしたり、マスター通信装置２５がスレーブ通信装置２６の製造番号などから装置種別を判別し、セキュリティ装置など通信に確実性が強く求められる装置には、許容範囲値を大きくするなど、通信システムに応じて最適な許容範囲値を設定することができる。
【００５０】
なお、本実施例では、マスター通信装置２５は、各スレーブ通信装置２６におけるスレーブビット幅記憶手段１０に記憶された許容範囲値を記憶しているとして説明したが、マスター通信装置２５がスレーブ通信装置２６から電池電圧低下検出信号を受信すると、スレーブビット幅記憶手段１０に記憶された許容範囲値を小さくするように更新する電文を送信し、この電文を受信したマスター通信装置２５は、スレーブ通信装置２６からスレーブビット幅記憶手段１０に記憶された許容範囲値を取得し、割り当てる許容範囲値を決定するようにすることもできる。
【００５１】
（実施の形態２）
実施の形態１と異なる点は、スレーブ電池電圧低下検出手段（図１の１３）に代わり、ＡＣ電源動作か電池電源動作かの動作電源種別を検出するスレーブ動作電源種別検出手段２４（図示せず）を備えた点である。
【００５２】
以上のように構成された受信装置について、以下その動作、作用を説明する。
【００５３】
本実施例では、スレーブビット幅記憶手段１０への許容範囲値の設定方法について説明する。
【００５４】
スレーブビット幅記憶手段１０には最初は、あらかじめ決められた許容範囲値が設定されているが、マスター通信装置２５にスレーブ通信装置２６を登録（縁組み）する際、スレーブ通信装置２６は、スレーブ動作電源種別検出手段２４で検出した情報を含んだ無線電文をマスター通信装置２５に対して送信する。
【００５５】
マスター通信装置２５におけるマスター制御手段２３は、この無線電文を受信することにより、スレーブ通信装置２の動作電源がＡＣ電源動作か電池電源動作かを判別する。電池電源動作の場合は、マスタービット幅割り当て手段２２を用いて、許容範囲値α１を割り当て、ＡＣ電源動作の場合は、許容範囲値α２を割り当てる。ここで、α１とα２の関係は、α１＜α２となるようなビット幅の許容範囲値を割り当てる。
【００５６】
以上のように、本実施の形態においては、α１とα２の関係が、α１＜α２となるようなビット幅の許容範囲値を割り当てるため、ＡＣ動作電源のスレーブ通信装置と比較して、電池電源動作の通信装置がノイズなどにより誤ってビット同期部を受信することが少なくなるため、消費電力を低減することができ、動作時間の延長を図ることができる。
【００５７】
また、ＡＣ動作電源動作のスレーブ通信装置には、消費電力を考慮しなくていいため、電池電源動作のスレーブ通信装置と比較して、ビット同期部のビット幅の許容範囲値をより大きく設定することができるため、受信すべき無線電文のビット幅がノイズなどにより変化しても受信できるようにすることができる。
【００５８】
このように、マスター通信装置２５が各スレーブ通信装置２６に対して、動作電源の種別により最適なビット幅の許容範囲値を割り当てることができる。
【００５９】
また、マスター無線通信装置２５がスレーブ通信装置２６に対して無線電文を送信する際は、図４に示す電文フォーマットを用い、伝送データブロックの部分に送信したいデータを入れて送信する。このとき、ビット同期１あるいはビット同期２を構成するビット同期部のビット幅は、２４００ｂｐｓの伝送速度で通信を行う場合は、１／２４００≒４１７マイクロｓｅｃ（理論値）であるため、通常は４１７マイクロｓｅｃに設定して送信する。
【００６０】
しかし、本実施例のように、電池電源動作の場合は、α１を割り当て、ＡＣ電源動作の場合は、許容範囲値α２を割り当て、α１とα２の関係が、α１＜α２となるようなビット幅の許容範囲値が割り当てられている場合、ＡＣ電源動作であるスレーブ通信装置２６に無線電文を送信する際には、ビット同期部を構成するビット幅αを、α１＜α≦α２となるようにして無線電文を送信することにより、電池電源動作である通信装置の規定の許容範囲値はα１のため、電池電源動作である通信装置は、ＡＣ電源動作である通信装置宛の無線電文からビット同期部を検出し、サンプリングクロックを生成することができないため、ＡＣ電源動作である通信装置宛の無線電文を受信しなくてもすみ、消費電力を低減することができ、動作時間の延長を図ることができる。
【００６１】
例えば、電池電源動作のスレーブ通信装置には、α１として±３０％（２９２マイクロｓｅｃ〜５４２マイクロｓｅｃが受信する許容範囲値）が割り当てられており、ＡＣ電源動作のスレーブ通信装置には、α２として±５０％（２０９マイクロｓｅｃ〜６２６マイクロｓｅｃが受信する許容範囲値）が割り当てられている場合、αとして、−３０％＜α≦−５０（２０９マイクロｓｅｃ＜α≦２９２マイクロｓｅｃ）あるいは、＋３０％＜α≦＋５０（５４２マイクロｓｅｃ＜α≦６２６マイクロｓｅｃ）として送信する。
【００６２】
なお、本実施例では、マスター通信装置２５にスレーブ通信装置２６を登録（縁組み）する際、スレーブ通信装置２６は、スレーブ動作電源種別検出手段２４で検出した情報を含んだ無線電文をマスター通信装置２５に対して送信するとして説明したが、スレーブ通信装置２６が電池電源動作とＡＣ電源動作の両方に対応しており、使用者が動作電源を選択する構成となっているときは、スレーブ通信装置２６は、動作電源が切り替わる毎にスレーブ動作電源種別検出手段２４で検出した情報を含んだ無線電文をマスター通信装置２５に送信するようにすることもできる。
【００６３】
なお、先の実施の形態１から２において、機能の少なくとも一部をコンピュータのプログラムで実行させることも可能である。これによって、簡単なハードウェアでマスター通信装置あるいはスレーブ通信装置の機能を実現することができるものである。
【００６４】
なお、先の実施の形態１から３において、エアコン２７は、防犯センサー、赤外線センサー、ガラス破壊センサー、マグネットセンサー、ショックセンサー、炎センサー、人体検知センサー、ガス漏れセンサー、超音波センサー、重量センサーなどのセキュリティ機器の場合でも同様に実施することができる。
【産業上の利用可能性】
【００６５】
以上のように、本発明にかかる受信装置または送信装置およびそのプログラムは、通信装置の設置後に動作状態や動作電源に応じてビット幅の許容範囲値を変更することができるので、家庭におけるホームネットワーク、特にセキュリティ装置などの電池電源動作の装置とエアコンなどのＡＣ電源動作の装置が混在したシステムに有用である。
【図面の簡単な説明】
【００６６】
【図１】本発明の実施の形態１におけるスレーブ通信装置のブロック図
【図２】本発明の実施の形態１におけるマスター通信装置のブロック図
【図３】本発明の実施の形態１における通信システムの構成図
【図４】本発明の実施の形態１における電文説明図
【図５】従来の受信装置のブロック図
【符号の説明】
【００６７】
７  スレーブ無線通信手段（受信装置側無線通信手段
８  スレーブビット幅測定手段（ビット幅測定手段）
９  スレーブビット幅判定手段（ビット幅判定手段）
１０  スレーブビット幅記憶手段（ビット幅記憶手段）
１３  スレーブ電池電圧低下検出手段（電池電圧低下検出手段）
１４  スレーブ制御手段（受信装置側制御手段）
２２  マスタービット幅割り当て手段（ビット幅割り当て手段）
２３  マスター制御手段（送信装置側制御手段）
２４  スレーブ動作電源種別検出手段
１０１  スレーブ通信装置（受信装置）
１０２  マスター通信装置（送信装置）
【図１】
2006262250.tif 000003
【図２】
2006262250.tif 000004
【図３】
2006262250.tif 000005
【図４】
2006262250.tif 000006
【図５】
2006262250.tif 000007